(57)【特許請求の範囲】
【請求項１】
進化ノードＢ（ｅＮｏｄｅＢ）及びユーザ機器（ＵＥ）の１つに設置された送信機から、直交周波数分割多重方式シンボル（ＯＦＤＭシンボル）のバンド端で情報を送信するためのデバイスであって、
前記ＯＦＤＭシンボルの前記バンド端での情報の配置を可能にするべく帯域外（ＯＯＢ）スペクトルリークを低減するために選択されたテーパー窓を、ＯＦＤＭシンボルの少なくとも一部に適用するウィンドウイングモジュールと、
前記情報を前記バンド端における前記ＯＦＤＭシンボルに供給するデータモジュールと、
前記テーパー窓の適用の後に、前記バンド端内の付加情報を有する前記ＯＦＤＭシンボルを送信する送信モジュールと
を備え、
前記送信モジュールは、前記テーパー窓に対応するキャリア間干渉係数情報（ＩＣＩ係数情報）を送信する、デバイス。
【請求項２】
同等化モジュール
を更に備え、
前記同等化モジュールは、
選択される前記テーパー窓のための先験的なものとして知られ、前記送信機で適用される前記テーパー窓に対応する前記ＩＣＩ係数情報を選択し、
前記ＩＣＩ係数情報を有する前記ＯＦＤＭシンボル内で隣接する複数のサブキャリアのＩＣＩを除去することにより、前記ＯＦＤＭシンボルに関連する信号を同等化することを受信デバイスに可能にすべく、前記受信デバイスに送信するための前記送信モジュールに、前記ＩＣＩ係数情報を供給する
請求項１に記載のデバイス。
【請求項３】
進化ノードＢ（ｅＮｏｄｅＢ）及びユーザ機器（ＵＥ）の１つに設置された送信機から、直交周波数分割多重方式シンボル（ＯＦＤＭシンボル）のバンド端で情報を送信するためのデバイスであって、
前記ＯＦＤＭシンボルの前記バンド端での情報の配置を可能にするべく帯域外（ＯＯＢ）スペクトルリークを低減するために選択されたテーパー窓を、ＯＦＤＭシンボルの少なくとも一部に適用するウィンドウイングモジュールと、
前記情報を前記バンド端における前記ＯＦＤＭシンボルに供給するデータモジュールと、
前記テーパー窓の適用の後に、前記バンド端内の付加情報を有する前記ＯＦＤＭシンボルを送信する送信モジュールと、
矩形窓に対応する第１のメインローブサイズに関する前記テーパー窓に対応する前記第１のメインローブサイズの増加をオフセットするための量だけ、前記ＯＦＤＭシンボル内のデータを搬送する複数のサブキャリア間の距離を増加させるアロケーションモジュールと
を備え、
前記距離は、データを搬送する複数のサブキャリア間のデータを搬送しない複数のサブキャリアの数を含むことにより作成される、デバイス。
【請求項４】
前記ウィンドウイングモジュールは、前記ＯＦＤＭシンボル内のサブキャリア用のサブキャリア帯域幅の逆と実質的に等しいウィンドウイングインターバル上に、前記テーパー窓を適用し、複数のサブキャリアの間の直交性を保存する
請求項１から３のいずれか１項に記載のデバイス。
【請求項５】
前記ウィンドウイングモジュールは、離散逆フーリエ変換（ＩＤＦＴ）が前記ＯＦＤＭシンボル内のデータに適用された後であるが、サイクリックプレフィックス（ＣＰ）が前記ＯＦＤＭシンボルに追加される前に、前記テーパー窓を前記ＯＦＤＭシンボルの前記少なくとも一部に適用する
請求項１から４のいずれか一項に記載のデバイス。
【請求項６】
同等化モジュール
を更に備え、
前記同等化モジュールは、
選択される前記テーパー窓のための先験的なものとして知られ、前記送信機で適用される前記テーパー窓に対応するキャリア間干渉係数情報（ＩＣＩ係数情報）を選択し、
前記ＩＣＩ係数情報を有する前記ＯＦＤＭシンボル内で隣接する複数のサブキャリアのＩＣＩを除去することにより、前記ＯＦＤＭシンボルに関連する信号を同等化することを受信デバイスに可能にすべく、前記受信デバイスに送信するための前記送信モジュールに、前記ＩＣＩ係数情報を供給する
請求項３に記載のデバイス。
【請求項７】
進化ＮｏｄｅＢ（ｅＮｏｄｅＢ）及びユーザ機器（ＵＥ）の１つに設置され、直交周波数分割多重方式（ＯＦＤＭ）バンド端を利用する送信機に、
直交周波数分割多重方式（ＯＦＤＭ）のインバウンド領域から、ＯＦＤＭシンボル用に指定されていない帯域外（ＯＯＢ）領域へのスペクトルリークを低減する手順と、
送信用の前記ＯＦＤＭのバンド端へ付加情報を供給する手順と、
前記バンド端に前記付加情報を有する前記ＯＦＤＭシンボルを送信する手順と
を実行させ、
前記スペクトルリークを低減する手順は、前記ＯＦＤＭシンボルにテーパー窓を適用する手順を有し、
前記送信する手順は、前記テーパー窓に対応するキャリア間干渉係数情報（ＩＣＩ係数情報）を送信する手順を有する、プログラム。
【請求項８】
進化ＮｏｄｅＢ（ｅＮｏｄｅＢ）及びユーザ機器（ＵＥ）の１つに設置され、直交周波数分割多重方式（ＯＦＤＭ）バンド端を利用する送信機に、
直交周波数分割多重方式（ＯＦＤＭ）のインバウンド領域から、ＯＦＤＭシンボル用に指定されていない帯域外（ＯＯＢ）領域へのスペクトルリークを低減する手順と、
送信用の前記ＯＦＤＭのバンド端へ付加情報を供給する手順と、
前記バンド端に前記付加情報を有する前記ＯＦＤＭシンボルを送信する手順と、
矩形窓に対応する第１のメインローブサイズに関するテーパー窓に対応する前記第１のメインローブサイズの増加をオフセットするための量だけ、前記ＯＦＤＭシンボル内のデータを搬送する複数のサブキャリア間の距離を増加させる手順と、
を実行させ、
前記距離は、データを搬送する複数のサブキャリア間のデータを搬送しない複数のサブキャリアの数を含むことにより作成される、プログラム。
【請求項９】
前記ＩＣＩ係数情報を適用することにより、前記ＯＦＤＭシンボル内の隣接する複数のサブキャリア内の前記ＩＣＩを除去することにより前記ＯＦＤＭシンボルに関連する信号を受信デバイスが同等化できるようにする手順を更に含む
請求項７に記載のプログラム。
【請求項１０】
キャリア間干渉係数情報（ＩＣＩ係数情報）を適用することにより、前記ＯＦＤＭシンボル内の隣接する複数のサブキャリア内の前記ＩＣＩを除去することにより前記ＯＦＤＭシンボルに関連する信号を受信デバイスが同等化できるようにする前記テーパー窓に対応する前記ＩＣＩ係数情報を送信する手順を更に含む、
請求項８に記載のプログラム。
【請求項１１】
スペクトルリークを低減する手順は、前記ＯＦＤＭシンボルのインバウンド領域内の端部領域における前記ＯＦＤＭシンボル内の一組の隣接するサブキャリアの送信電力を低減する手順を更に備え、
前記端部領域は、前記バンド端によって占有されるこれらに隣接する複数の周波数を占有する
請求項７から１０のいずれか一項に記載のプログラム。
【請求項１２】
前記付加情報が送信されるべきことが決定された距離に基づいて前記バンド端に供給される付加情報をスクリーニングする手順を更に備え、
前記距離が、前記バンド端内の情報の通信を確実にするように設定される距離閾値よりも小さい場合に、前記付加情報は、前記バンド端のために選択される
請求項７から１１のいずれか一項に記載のプログラム。
【発明の詳細な説明】
【背景技術】
【０００１】
無線通信に関し、基本的な基礎的物理リソースは、無線スペクトルである。追加の無線スペクトルの小さなスパンが無線通信システムに利用可能になったにもかかわらず、無線広域ネットワーク（ＷＷＡＮ）のような、究極的には無線スペクトルが限られたリソースである。したがって、得られた無線スペクトルの有効利用は、ＷＷＡＮに寄せられた持続的に増大する要求に対処する１つの鍵である。
【０００２】
ＷＷＡＮのコンテキスト内の増大するスペクトル効率は、特記事項を伴い得る。例えば、ＷＷＡＮと関連する複数の移動無線チャネルは、非常に時間可変であり得、且つ、分散的であり得る。そのような複数のチャネルの時間可変及び分散特質は、マルチキャリア変調によって部分的に取り込まれ得る。マルチキャリア変調は、複数のキャリア間の複数のガードバンドの適用に起因して、キャリア間干渉（ＩＣＩ）を避けるのに非効率になり得る。
【０００３】
目下、複数のゲインは、直交周波数分割多重方式（ＯＦＤＭ）の利用により、ＷＷＡＮにおけるスペクトル効率に関して構成されている。調和振動数でマルチキャリアＷＷＡＮの様々なサブキャリアを設定することにより、直交のものが他のものに構成され得る。結果として、複数のサブキャリア間の複数のガードバンドは省略され得、複数のキャリアは、周波数に関し一層重なり合い得る。第３世代パートナシッププロジェクト（３ＧＰＰ）ロングタームエボリューション（ＬＴＥ）規格と調和するような、ＷＷＡＮにおけるＯＦＤＭの実現は、重要な複数のゲインがスペクトル効率に関して構成されていることを許可した。にもかかわらず、重要な複数のゲインは、追加の技術の手段だけでなく、ＯＦＤＭの実現それ自体のスペクトル効率を改良することにより、スペクトル効率に関して構成されている状態を保つ。
【図面の簡単な説明】
【０００４】
本願発明の特徴と効果は、例示の方法によって、一緒に本願発明の特徴を図示した、添付の図面と併せて、後続の詳細な説明から明らかであろう。
【図１Ａ】サイクリックプレフィックス（ＣＰ）の付属物の後に適用される実質的に矩形のフィルタリングウィンドウと一緒に、時間に関し、送信直交周波数分割多重方式（ＯＦＤＭ）シンボルのデータ部とＣＰ部とを組み合わせて図示するブロック図である。
【図１Ｂ】フーリエ変換が、図１Ａにおいて提供される送信ＯＦＤＭシンボルの時間領域表現を作成するのに適用される前の、周波数に関し、複数のガードバンド用に保有される複数のサブキャリアのスパンと、データが送信され得る複数のサブキャリアのスパンとを組み合せて図示するブロック図である。
【図２】様々な例に一致する、ＣＰの適用の前に、時間領域窓が適用され得る場合の、複数のＯＦＤＭシンボルの生成及び/又は送信のための送信機設計用のアーキテクチャを例示するブロック図である。
【図３】様々な例に一致する、ＣＰの適用の前に適用される代替的ウィンドウイング型用の複数のメインローブ及び複数のサイドローブと比較して、時間領域におけるＯＦＤＭシンボルにこれまで適用される矩形窓から周波数領域において生成される複数のメインローブ及び複数のサイドローブのグラフを提供する。
【図４】様々な例に一致する、複数のＯＦＤＭバンド端において送信された付加情報の受信及び/又は復号のための受信機設計用のアーキテクチャを例示するブロック図である。
【図５】様々な例に一致する、複数のＯＦＤＭバンド端において電力が減少される場合の、周波数に関するＯＦＤＭシンボルの送信電力を例示するブロック図である。
【図６】様々な例に一致する、ＯＦＤＭ内のバンド端において情報を送信するための、送信機で動作するデバイスを例示するブロック図である。
【図７】様々な例に一致する、ＯＦＤＭシンボルバンド端の帯域幅を利用するための工程を示すフローチャートである。
【図８】様々な例に一致する、ＯＦＤＭシンボルバンド端を利用するための工程を示すフローチャートである。
【図９】他の例に係るＵＥのブロック図である。  ここで、図示される典型的な実施形態に参照され得、特定の用語は同一のものを説明するために本明細書で用いられるであろう。これにより発明の範囲を限定することを意図していないことが、やはり理解されるであろう。
【発明を実施するための形態】
【０００５】
本願発明が開示され、説明される前に、本願発明が、本明細書で開示される特定の構造、プロセスステップ、又は材料に限定されないが、当業者によって認識されるであろうような均等物に広げられることが理解されるべきである。本明細書で採用された用語は、特定の実施形態だけを説明する目的のために用いられ、限定することを意図するものではないことも理解されるべきである。
【０００６】
定義
【０００７】
本開示で議論された例の概念の重要なステートメントは、第３世代パートナシッププロジェクト（３ＧＰＰ）ロングタームエボリューション（ＬＴＥ）規格の用語がしばしば本明細書を通じて使用される一方で、更にこの点を伝えるための本明細書の一部において、より一般的な用語の使用の例外がある。
【０００８】
本明細書で使用されるように、「実質的に」という用語は、動作、特性、プロパティ、状態、構造、項目又は結果の範囲又は程度が完了又はほとんど完了していることを指す。例えば、「実質的に」同封のオブジェクトは、オブジェクトが完全に同封されているか、又はほとんど完全に同封されているかのいずれかを意味し得る。絶対的な完全性からの偏差の正確な許容度は、いくつかの場合には、具体的状況に依存し得る。にもかかわらず、一般的に言えば、完成の類似は、まるで絶対的で全体的な完全性が得られるであるかのように、同一の総合的な結果を得ることになるであろう。「実質的に」の使用は、動作、特性、プロパティ、状態、構造、項目、又は結果の完全な不足又は、ほとんど完全な不足に言及するための否定的な意味合いにおいて使用された場合に、同じように当てはまる。
【０００９】
他の複数の用語は、本明細書の本文の他の部分で定義されてよい。
【００１０】
例示的な実施形態
【００１１】
技術実施形態の最初の概要は下記に示され、それから、具体的な技術実施形態は、後で、更に詳細に説明される。この最初の概要は、複数の読者が技術をより早く理解することを助けることを目的としており、技術の鍵となる機能又は不可欠な機能を特定することを目的としているのではなく、主張された主題の範囲を限定することを目的としているものでもない。
【００１２】
直交周波数分割多重方式（ＯＦＤＭ）の適用は、マルチキャリア無線広域ネットワーク（ＷＷＡＮ）における、複数のサブキャリアのような、複数のキャリア間で複数のガードバンドを除去させることによって、スペクトル効率の増加に寄与する。にもかかわらず、様々なサブキャリアからの複数のシンボルを含む、複合ＯＦＤＭシンボルは、これまで、複数のガードバンドによって帯域外（ＯＯＢ）放射を阻止させている。時間領域において、複合ＯＦＤＭシンボルは、典型的に、実質的に矩形の窓関数が掛けられてきた。サイクリックプレフィックス（ＣＰ）がＯＦＤＭシンボル内のデータに追加される場合、ウィンドウは、実質的に矩形であり得るので、ランプアップ及びランプダウンにおける遷移時間は、キャリア間干渉（ＩＣＩ）を避けるＣＰ時間よりも短くなり得る。
【００１３】
理解され得るように、時間領域における実質的に矩形のＯＦＤＭシンボルは、実質的に、結果として周波数領域のメインローブ及び複数のサイドローブを伴う正弦関数となる。
【００１４】
不幸にも、矩形窓の高い複数のサイドローブは、帯域外（ＯＯＢ）リークの主な誘因になり得る。このような正弦関数に関し、下記の図３に図示されるように、第１メインサイドローブは、メインローブと比較して、およそ１３デシベル（ｄＢ）だけ減少し得る。このような高い電力レベルで複数のサイドローブからのＯＯＢリークを阻止するために、第３世代パートナシッププロジェクト（３ＧＧＰ）ロングタームエボリューション（ＬＴＥ）規格リリース８，９，及び１０の目下の場合のように、これまで複数のガードバンドが、ＯＦＤＭシンボル帯のそれぞれの端部に適用される。複数のＯＦＤＭシンボル帯の端部での複数のガードバンドは、スペクトル効率の著しい減少をもたらす。例えば、現在の３ＧＰＰ  ＬＴＥ規格において、複数のガードバンドは、帯域幅の約１０％の損失をもたらす。
【００１５】
複数のガードバンドから損失した複数の帯域幅は、ＯＯＢ放射が適切に制御され得、他の複数の予定伝送が損われない限り、スペクトル効率を改善する著しい通信リソースを提供し得るであろう。例えば、適切な革新により、ＯＦＤＭシンボルバンド端の帯域幅の一部は、現在複数のガードバンドに占有され、デバイスツーデバイス（Ｄ２Ｄ）通信及び/又はマシンツーマシン（Ｍ２Ｍ）通信に採用され得る。Ｄ２Ｄ通信及びＭ２Ｍ通信は、典型的には、比較的小さなデータ量の無線通信を伴う。したがって、Ｄ２Ｄ通信及びＭ２Ｍ通信は、複数のガードバンドの幅を削減することによる比較的小さな改善で送信され得る。他の予定伝送を損なうのを避けるために、ＣＰが保持され得る。
【００１６】
いくつか例が、ＯＦＤＭシンボル内の複数のバンド端で情報の送信を可能にする革新について、以下で議論される。全体として、複数の例は、ＯＦＤＭ信号のインバウンド領域からＯＦＤＭシンボルのガードバンドへのスペクトルリークを低減することを伴い得る。付加情報は、ＯＦＤＭシンボルの端部において、供給され得る。いくつかの例において、この付加情報は、複数のガードバンドのために事前に保有されたＯＦＤＭシンボルの一部を占有し得る。
【００１７】
例えば、デバイスは、ＯＯＢスペクトルリークを低減するために使用され得るウィンドウイングモジュールと共に、ＷＷＡＮシステム内の送信機において提供され得る。ウィンドウイングモジュールは、矩形窓以外に、ＯＦＤＭシンボルに対して、時間領域における複数のテーパー窓のいくつかの異なる複数のタイプの１つを適用するように構成され得る。テーパー窓は、本出願全体を通じて、例示であり限定するものではないが、ハミング窓、ハン窓、又は２乗余弦窓のような丸みのあるエッジを有する任意の窓を示してよい。
【００１８】
このような代替的な、複数のテーパー窓は、ＯＯＢリークを阻止し、複数のガードバンドの必要性を減らすために、複数のサイドローブ、特に周波数領域における複数の第１メインサイドローブを削減し得る。テーパー窓は、ＣＰの前に適用され得る。テーパー窓がＣＰの前に適用される場合、実質的に矩形の関数に関連する急峻な立ち上がり時間が避けられ得る。テーパー窓がＣＰの後に適用される場合、テーパー窓に関連する立ち上がりのより漸進的なスロープがＣＰを切り捨て得、ＩＣＩを回避するその機能をＣＰが実行するのを阻止する。
【００１９】
データモジュールは、１又は複数のそのバンド端におけるＯＦＤＭシンボルへ情報を供給するデバイスと共に更に提供され得る。この情報は、複数のガードバンドの利用により事前に利用不可の帯域幅を占有し得る。このような帯域幅の一部は、テーパー窓の結果として、周波数領域の複数のサイドローブにおける電力を減少することにより、利用可能になり得る。送信モジュールは、更に、テーパー窓の適用の後に、バンド端に付加情報を有するＯＦＤＭシンボルを準備し及び/又は送信するためのデバイスが提供され得る。
【００２０】
いくつかの例において、テーパー窓の適用は、周波数領域におけるメインローブの広がりをもたらし得る。周波数領域におけるメインローブの広がりは、複数のサブキャリアの広がりをもたらし得る。メインローブの広がりに反して、多くの複数のサブキャリアの間に、複数のサブキャリアの間の直交性が保持され得るにもかかわらず、直交性は、隣接する複数のサブキャリアの間において損なわれ得る。
【００２１】
このような例において、小さなトレードオフが複雑性と帯域幅との間において生じ得る。
【００２２】
即ち、追加の周波数帯域幅と引き換えに、比較的小さな量の同等化複雑性が許容され得る。同等化処理は、送信機及び/又は受信機において実施され得る。送信機において、送信機は、送信機によって時間領域に適用される特定のテーパー窓に対応するＩＣＩ係数情報を選択し得る。ＩＣＩ係数情報は、適用される特定のテーパー窓のための先験的なものとして知られ得る。それから、ＩＣＩ係数情報は、隣接する複数のサブキャリアにおけるＩＣＩの除去によってＯＦＤＭ信号を同等化し得るために、受信デバイスに供給され得る。
【００２３】
いくつかの例は、ＯＯＢスペクトルリークを低減するために、周波数に関し異なる複数の電力でＯＦＤＭシンボルを送信することを含み得る。例えば、ＯＦＤＭシンボルの中心スパンにおけるデータは、まず、比較的高い電力範囲で送信され得る。ＯＦＤＭシンボルの端部におけるデータは、周波数に関し、比較的低い電力で送信され得る。
【００２４】
多数の異なる電力レベルが適用され得るいくつかは、ＯＦＤＭシンボルのインバウンド領域内の複数のサブキャリアに関し、いくつかは、インバウンド領域の外側で複数のガードバンド用に事前に保有される帯域幅の複数の部分に関しする。
【００２５】
図１Ａは、時間に関するＯＦＤＭシンボル１０２の概略的な外形を図示する。実際のＯＦＤＭシンボル内の振幅が時間に対して変化するにもかかわらず、図示された概略的な外形は、最大限の振幅値の点で解釈され得る。ＯＦＤＭシンボルは、データ１０４及びサイクリックプレフィックス（ＣＰ）１０６を含み得る。
【００２６】
３ＧＰＰ  ＬＴＥ規格と調和し、データの最後尾からの複数の複製サンプルの１セットを提供し得るＣＰは、ＯＦＤＭシンボルの前部に追加され得る。本出願全体を通じて、「ＯＦＤＭシンボル」という語は、ＯＦＤＭシンボル及び添付のＣＰからの双方のデータを示し得る。ＯＦＤＭシンボルにおけるデータの端部からの複製部分が複数のシンボルの間に重なり合いを補償し得るのだから、ＣＰは、符号間干渉（ＩＳＩ）を避け得る。
【００２７】
理解され得るように、時間領域において実質的に矩形のＯＦＤＭシンボルは、実質的に、メインローブ及び複数のサイドローブにより、周波数領域において正弦関数をもたらす。不幸にも、矩形の時間領域窓の高周波数領域の複数のサイドローブは、帯域外（ＯＯＢ）リークの主な誘因となり得る。そのような正弦関数に関し、第１メインサイドローブは、メインローブと比較して、ちょうど１３デシベル（ｄＢ）くらい低下し得る。これらのサイドローブのＯＯＢリークを軽減する目的で、従来の時間領域窓フィルタ１０８が、ＣＰ１０６を周期的に付加した後に適用され得る。にもかかわらず、この時間領域窓の特質は、サイドローブの電力レベルの減少がかなり軽減されたような方法で十分に抑制し得る。
【００２８】
ＩＳＩに関しＣＰ１０６の複数の利得を保存するために、従来の時間領域窓フィルタ１０８は、すぐに統一的に傾斜する。さもなければ、ＣＰは、不完全すぎて、その目的を提供し得なくなる。例えば、傾斜時間がＣＰ時間よりも大きい場合、ＩＳＩが生じ得る。
【００２９】
したがって、時間に関し、従来の時間領域窓フィルタの、先端テーパーリング１１０ａは、非常に急峻となり得る。そのようなフィルタの対称的な特質は、時間に関し、やはり非常に急峻な後端テーパーリング１１０ｂを更にもたらし得る。したがって、従来の時間領域窓フィルタ１０８が、得られる送信シンボル１１２の端部を丸めるために提供され得るにもかかわらず、周波数領域において複数のサイドローブが減少し、したがってスペクトルリークの低減が最小になり得る。したがって、ＯＯＢスペクトルリークを避けるために、追加の方策がこれまで適用されてきた。このような方策は、その上でデータが送信されないＯＦＤＭシンボル帯の周波数端部において複数のサブキャリアを保有することを含み得る。
【００３０】
図１Ｂは、図１Ａにおける送信ＯＦＤＭシンボル１１２用のデータが提供され得る、及びデータが送信されない１又は複数のガードバンド１１６用に保有され得る周波数の範囲にわたる、複数のサブキャリア１１４のスパンを図示する。複数のサブキャリアのスパンは、図１Ａにおいて、送信ＯＦＤＭシンボル１１２の周波数領域表示を作成するために適用される、高速フーリエ変換（ＦＦＴ）のようなフーリエ変換前の複数のサブキャリアを表し得る。第１サブキャリア１１８ａ、第２サブキャリア１１８ｂ、及び第３サブキャリア１１８ｃが図示されている複数のサブキャリアのスパンは、異なる周波数に関し割り当てられた任意の数のサブキャリアを含み得る。例えば、限定されるものではないが、サポートは、７２，  １８０，  ３００，  ６００，  ９００，  及び１，２００サブキャリア用の３ＧＰＰ  ＬＴＥ規格において提供され得る。
【００３１】
データを搬送する複数のサブキャリア１１８ａ、１１８ｂは、複数のサブキャリア１１４のスパンのインバウンド領域１２０内に配置され得る。複数のサブキャリアのスパンの端部の一方において、ガードバンド１１６は、インバウンド境界１２２とＯＯＢ境界１２４ａ，１２４ｂとの間に配置され得る。ガードバンドは、任意の数の複数のサブキャリアを備え得る。にもかかわらず、データは、サブキャリア１１８ｃのように、インバウンド領域の外部及び潜在的にガードバンドの内部にある複数のサブキャリアから省略され得る。
【００３２】
複数のガードバンド１１６内に保有された帯域幅は、時間領域におけるＯＦＤＭ送信シンボル１１２の実質的に矩形の特質により、周波数領域における正弦関数の比較的高い複数の第１サイドロ−ブによって占有され得るバッファゾーンを提供するために用いられ得る。にもかかわらず、ＯＯＢ境界の前に、複数のサイドローブの電力を十分に減少させるのを確実にするために、複数のガードバンドは、データが送信され得ないサブキャリアを十分な数占有するのに十分に大きくなければならない。そのような複数のガードバンドのサイズは、データ送信用に用いられ得る帯域幅の量をかなり減少させ得、スペクトル効率を減少させ得る。
【００３３】
例えば、現在の３ＧＰＰ  ＬＴＥ規格では、複数のガードバンドは、帯域幅のおよそ１０％の損失をもたらし得る。ＯＦＤＭシンボル用の最大帯域幅が２０ＭＨｚであり得るので、２ＭＨｚの帯域幅が、複数のガードバンドに対して失われ得る。３ＧＰＰ  ＬＴＥ規格のリリース８が、１．４ＭＨｚ用の送信帯域幅を定義することを考慮すると、２ＭＨｚもの帯域幅の浪費は重大である。他のガードバンドの複数の帯域幅についても、同じく当てはまる。
【００３４】
ＯＯＢ放射が適切に制御され、他の予定伝送が損なわれない限り、複数のガードバンド１１６の損失した複数の帯域幅は、スペクトル効率を改善する、著しい通信リソースを提供し得る。ＯＯＢ放射の制御は、複数のガードバンドを用いずに、又は低減された複数のガードバンドを用いて、著しい電力レベルのスペクトルリークを阻止することを伴い得る。複数のガードバンド用に保有された帯域幅が減少して、付加情報が複数のＯＦＤＭシンボルの端部において通信され得る。にもかかわらず、スペクトルリークを制御するための新たな技術は、ＣＰ構造を保有することによって、ＩＳＩを避け得る。これらの制約下でのスペクトルリークを制御するための新たなアプローチは、以下の図に関し議論され得る。
【００３５】
図２は、複数のＯＦＤＭシンボルの生成及び/又は送信のための送信機設計２００用のアーキテクチャを図示する。様々な機能ブロックが追加され得、除去され得るにもかかわらず、図２に図示された送信機は、３ＧＰＰ  ＬＴＥ規格下の送信機に調和する。データストリーム２０２が描かれている。データストリームは、変調及び符号化スキーム（ＭＣＳ）に組み込まれたデータを伝送し得る。データストリームは、シングルトゥパラレルコンバータ２０４によって、単一データストリームから並列データストリームに変換され得る。並列データストリームは、マッピングブロック（図示せず）によって、異なる複数のサブキャリアにマッピングされ得る。
【００３６】
ＯＦＤＭシンボル用に割り当てられた周波数のスパンの端部付近の特定の複数のサブキャリア２０６は、複数のガードバンドのために保有され得る。データは、複数のインバウンドサブキャリア２０８として指定された、残りの複数のサブキャリアにマッピングされ得る。限定されないが、ＩＦＦＴのような、逆フーリエ変換が、その後、変換ブロック２１０によって実行され得る。逆フーリエ変換の出力は、データを時間領域に配置する。
【００３７】
時間領域において、新たな、時間領域窓が、送信窓ブロック２１２によって、適用され得る。新たな、時間領域窓は、ＣＰブロック２１４の適用によって、ＣＰの適用の前に適用され得る。理解され得るように、本明細書においてテーパー窓と呼ばれ得る、新たな、時間領域窓は、図１Ａに関して上述され、ＣＰの前に適用される、従来の時間領域窓フィルタ１０８と異なる。本出願全体を通じて、テーパー窓は、丸みのある端部を有する任意の窓に参照され得る。例示として示された複数の例は、限定するものではなく、ハミング窓、ハン窓、又は２乗余弦窓を含み得る。バートレット窓のような、当業者に知られている多くの他の窓が、テーパー窓として使用され得る。
【００３８】
いくつかの例において、テーパー窓は、ＯＦＤＭシンボルのバンド端における複数のサブキャリアに適用され得る。逆に、複数の中心サブキャリアの時間領域信号は、中央にフラットトップを有する、矩形窓に近い窓によって重み付けされ得る。ＯＦＤＭシンボルが多数のサブキャリアからなるので、テーパー窓は、ＯＦＤＭシンボルの少なくとも一部に適用されるものといえる。
【００３９】
テーパー窓の適用の後に、それから、ＣＰの適用の後に、パラレルトゥシングルコンバータ２１６は、１又は複数の送信機アンテナ２２０上の送信用の様々な時間領域データストリームをシングル送信信号２１８に組み合わせるために使用され得る。送信機２００は、進化ノードＢ（ｅＮｏｄｅＢ）における又はユニフォーム装置（ＵＥ）における送信機のような、ＷＷＡＮ送信機の任意のタイプを備え得る。本出願全体を通じて、「ｅＮｏｄｅＢ」という用語は、基地局のような、無線通信システムにおける実質的に固定された送信ポイントの他の任意のタイプと置き換え可能であり得る。更に、「ｅＮｏｄｅＢ」という用語は、マクロノード（ＭＣＮ：ＭａＣｒｏ−Ｎｏｄｅ）ｅＮｏｄｅＢ又は低電力ノード（ＬＰＮ）と称され得る。ＬＰＮは、１つのマイクロセル、ピコセル、フェムトセル、ホームｅＮｏｄｅＢセル（ＨｅＮＢ）、遠隔無線ヘッド（ＲＲＨ）、遠隔無線機器（ＲＲＥ）、リピーター、又はＭＣＮにおいて典型的に使用されるよりも低電力の送信ポイントの他のタイプの内の１つを備え得る。送信機がｅＮｏｄｅＢに設置される場合、送信機デバイスは、ＯＦＤＭの直交周波数領域多元接続（ＯＦＤＭＡ）形式と調和する複数の追加の機能ブロックを含み得る。送信機がＵＥに設置される場合、送信機デバイスは、単一キャリア周波数領域多元接続（ＳＣ−ＦＤＭＡ）と調和する複数の追加の機能ブロックを含み得る。
【００４０】
テーパー窓は、ＣＰブロック２１４によってＣＰが適用される前に、送信窓ブロック２１２によって適用されるので、ＣＰはＩＳＩを回避する機能を全うし得る。更に、ＯＦＤＭデータの著しく丸い端部のために、複数のインバウンドサブキャリアのために配置される周波数の外側のスペクトルリークが、十分に減少され得る。ＯＦＤＭのバンド端におけるスペクトルリークの減少は、データを伝送するための複数のガードバンドサブキャリア２０６として事前に保有された複数のサブキャリアを開けるのに十分であり得る。したがって、データモジュールは、１又は複数のガードバンド１１６用に事前に保有された複数のサブキャリア２０６への情報を供給し得る。スペクトルリークの達成可能な減少は、図３に関して説明され得る。
【００４１】
図３は、矩形窓から、従来のアプローチに従い時間領域におけるＯＦＤＭシンボルに実質的に適用される、周波数領域におけるメインローブ及び複数のサイドローブをグラフで示す。比較のため、様々な例に一致する、複数の代替的なウィンドウイングタイプのための複数のメインローブ及び複数のサイドローブと比較されるように、グラフが更に提供される。グラフ用の縦軸は、デシベルにより、相対的な強度で評価される。横軸は、正規化周波数に関し評価され、「ｘ×πラジアン／サンプル」のようなサンプル毎のサイクル（又はラジアン）の単位で表され、「ｘ」は横軸に渡り現れる値に対応する。
【００４２】
実線は、矩形の又は実質的に矩形の窓の周波数応答を図示する。グラフの対数特質は、正弦関数の従来の表現からの変化を明らかにし得る。グラフから理解され得るように、第１のサイドローブは、メインローブよりもおよそ１３ｄＢだけ小さい。更に、複数のサイドローブの追加のオーダーは、比較的遅いレートで次第に小さくなる。したがって、これらのサイドローブの電力は、著しいＯＯＢリークをもたらし得る。
【００４３】
逆に、他の２つのウィンドウイング型用の複数のサイドローブは、これらのメインローブに関する電力を十分に低減した。例えば、ハン窓に関し、破線によって図示された、メインローブと第１のサイドローブとの間におよそ３０ｄＢのドロップオフが生じた。理解され得るように、元の信号の電力の１０００の電力を有する信号は、スペクトルリークに関するものと同様にそれほど重要ではない。より一層印象的なのは、４ターム余弦窓に関するメインローブに関連する第１の主要なサイドローブへの９０ｄＢ近くの低下であり、破線によって図示されている。理解され得るように、複数のテーパー窓の追加の複数のタイプは、時間領域において適用され得、これらの周波数応答と同様の結果となる。
【００４４】
図３に図示された２つの代替的なウィンドウイング関数用の低減された複数のサイドローブに加えて、矩形窓に関する第２の特徴的な特性が高く評価され得る。４ターム余弦窓に関するものがより劇的であるにもかかわらず、ハン窓と４ターム余弦窓の双方のメインローブは、正規化周波数に関して広がる。
【００４５】
より詳細には、ハン窓のメインローブは、およそ係数２で増加され、４ターム余弦窓のメインローブは、係数４で増加される。ある意味で、複数のサイドローブの減少は、メインローブの広がりにより獲得される。
【００４６】
広げられたメインローブは、キャリア間干渉（ＩＣＩ）と密接な関係を有し得る。
【００４７】
広げられた複数のメインローブは、影響されていない多くの複数のサブキャリアの直交性を残し得るにもかかわらず、これは全ての複数のサブキャリアについてもいえるわけではない。広げられた複数のメインローブは、隣接する複数のサブキャリアの直交性を軽減し得る。その結果として、代替的な複数のメインローブが大きいほど、複数のテーパー窓関数は、隣接する複数のサブキャリアの間のＩＣＩの結果につながり得る。
【００４８】
にもかかわらず、広げられた複数のメインローブからもたらされ得る潜在的なＩＣＩは、高い制御方式で導入されるであろう。導入され得るＩＣＩは、制限されるだろう。更に、導入され得るＩＣＩは、その導入の原因となるウィンドウイング関数の関数型に応じ、事前に知られ得る。様々な代替的なテーパー窓の周波数応答が知られているので、これらが導入するＩＣＩは、簡単な同等化処理によって除去され得る。
【００４９】
これらの代替的なテーパー窓のそれぞれが、周知のＩＣＩ係数を有する。例えば、ハン窓用のＩＣＩ係数は、０．２である。第１のゼロが０．２の正規化周波数値で生じる場合、ハン窓用のこのＩＣＩ係数は、図３のハン窓（破線）用のグラフから読み取られ得る。同様のＩＣＩ係数は、０．４の値をもたらす、４ターム余弦窓から読み取られ得る。
【００５０】
複数のチャネル応答は、サブキャリア及び隣接するサブキャリアの両側に渡り、ほぼ同一であり得るので、同様の周波数を占有し、ＩＣＩ係数は、導入された任意のＩＣＩをほぼ完全に除去するために使用され得る。例えば、ハン窓は、メインローブを倍にし、そして、その左／右に隣接するものの一方だけの間にＩＣＩを導入する。同等化は、単純にＩＣＩ係数を適用することによって受信機において実行され得るので、より詳細に後述されるように、同等化処理は、特に、符号分割多重アクセス（ＣＤＭＡ）規格及び移動体通信用のグローバルシステム（ＧＳＭ（登録商標））規格に既に関連するより複雑な同等化処理と比較した場合に、複雑性の増加をあまり伴わない。
【００５１】
更に、又は代替的に、適用され得る、周知の様々なテーパー窓の周波数応答は、ＩＣＩ回避のための他のアプローチをもたらす。矩形窓からのメインビームに関連する代替的なテーパー窓のために、メインビームを増加させる要因のため、複数のサブキャリアを搬送するデータの間の距離は、適切に調整され得る。スキップされた複数のサブキャリアにデータが送信されない場合、サブキャリアスペースが同一の状態を保つにもかかわらず、データは、代替の複数のサブキャリアに送信され得る。
【００５２】
例えば、ハン窓がメインローブを倍にするので、スペクトル値に関して、その左側のものと右側のものとの間にＩＣＩを導入し得る。したがって、ＩＣＩは、データを割り当てる場合に、複数のサブキャリアの間で交互に繰り返すことによって、明らかにされ得る。同様の工程は、４ターム余弦窓用の、４つのサブキャリアのそれぞれに関して適用され得る。
【００５３】
したがって、様々な可能性のある代替的テーパー窓の周波数応答の周知な特質は、ＩＣＩを除去させ得るように制御された方法においてＩＣＩが導入されるのを許可する。ＩＣＩの除去は、若干の複雑性を導入させる、比較的簡単な同等化処理を通じて、受信機によって実行され得る。更に、ＩＣＩは、データを伝送する複数のサブキャリアと、データを伝送しない複数のサブキャリアとの間で交互に繰り返すことにより削除され得るが、スループットにコストがかかる。除去可能なＩＣＩを導入することにより、追加の帯域幅は、添付の低減された複数のサイドローブのために、ＯＦＤＭシンボルの複数の端部から埋め合わされ得る。
【００５４】
本願発明の一実施形態に関し、図４は、複数のＯＦＤＭシンボルの受信及び/又は復号のための受信機設計４００用のアーキテクチャを図示する。設計は、複数のＯＦＤＭバンド端において送信された付加情報の受信及び復号を可能にする。様々な機能ブロックが追加され得、除去され得るにもかかわらず、図４に図示された受信機は、ＵＥ又はｅＮｏｄｅＢのような、３ＧＰＰ  ＬＴＥ規格に従う受信機に一致し得る。受信機がＵＥに設置される場合、受信機は、無線アクセスネットワーク（ＲＡＮ）からのダウンリンクにおいて受信されるＯＦＤＭの直交周波数領域多元接続（ＯＦＤＭＡ）形式の受信及び/又は復号に一致する複数の付加情報ブロックを含み得る。受信機がｅＮｏｄｅＢ又は低電力ノードの他のタイプに設置される場合、受信機は、ユーザ機器（ＵＥ）からのアップリンクにおいて受信される信号の単一キャリア周波数領域多元接続（ＳＣ−ＦＤＭＡ）の受信及び/又は復号に一致する複数の付加機能ブロックを含み得る。本出願全体を通じて、「ＵＥ」は、任意のタイプのモバイルデバイス及び、又はステーションに参照し得、それ自身、任意のタイプのｅＮｏｄｅＢなどの送信ポイントの任意のタイプ、他のＵＥ及び/又は他の任意のタイプの無線通信デバイスの間の送信及び/又は受信のために構成され得る。
【００５５】
１又は複数のアンテナ４２２は、ＯＦＤＭシンボル４２４を受信し得る。シングルトゥパラレルコンバータ４２６は、ＯＦＤＭシンボルからのいくつかの並列時間領域サンプルを発生し得る。それから、ＣＰ除去器４２８は、ＣＰに対応するこれらの時間領域サンプルのいくつかを除去し得る。それから、複数の時間領域サンプルを担う残りのデータは、変換ブロック４３０に供給され得る。変換ブロックは、限定するものではないが、残りの複数の時間領域シンボルに高速フーリエ変換（ＦＦＴ）などのフーリエ変換を実行し得る。復元可能な複数のサブキャリアとして、フーリエ変換の出力は、周波数領域においてデータを配置する。
【００５６】
フーリエ変換ブロック４３０からの復元可能な複数のサブキャリアは、複数のインバウンドサブキャリア４３２及び複数のエッジサブキャリア４３４に対応し得る。本明細書に開示されるように、ＯＯＢリークの予防策のために、事前にガードバンド用に保有されていたであろう、又は周波数に関し単純にＯＦＤＭシンボルのエッジ付近に配置されていたであろう複数のサブキャリアのうち１又は複数は、追加のデータ／情報を伝送し得る。周波数領域において、同等化は、復元可能な複数のサブキャリアから変調された複数のサブキャリアを復元するために、イコライザ／ディテクタブロック４３６によって実行され得る。
【００５７】
いくつかの例において、複数のインバウンドサブキャリアと複数のエッジサブキャリアの双方は、イコライザ／ディテクタモジュール４３６によって同等化され得る。いくつかの例において、イコライザ／ディテクタモジュール４３６は、複数のインバウンドサブキャリア４３２及び複数のエッジサブキャリア４３４に対して共通の同等化処理に適用し得る。特定の複数の例において、イコライザ／ディテクタモジュールは、複数のインバウンドサブキャリア及び複数のエッジサブキャリア４３４に対して異なる複数の同等化処理を適用し得る。いくつかの例に関し、複数のインバウンドサブキャリア及び複数のエッジサブキャリアは、（図示しない）異なる複数のイコライザ／ディテクタモジュールに転用され得る。特定の複数の例において、同等化処理は、複数の交互に繰り返したサブキャリアへとデータを制限することによりＩＣＩが除去される場合の例などでは、複数のインバウンドサブキャリア、複数のエッジサブキャリア、又はこれらの双方に適用され得ない。
【００５８】
イコライザ／ディテクタブロック４３６は、送信機によってＣＰを追加する前に、テーパー窓の適用を通じて導入され得る制御されたＩＣＩを除去するために、ＩＣＩ係数情報を適用し得る。図３に関し上述されるように、ＣＰの適用の前のテーパー窓の適用がデータ送信用のＯＦＤＭシンボルの複数のエッジにおける複数のサブキャリアを解放し得るにもかかわらず、そのような複数の窓は、更に、１つのサブキャリアにおける送信から隣接する複数のサブキャリアにエネルギーを広げ得る。したがって、別の方法では対角となるであろう、周波数領域におけるチャネルマトリックスは、複数の非対角成分となる。
【００５９】
チャネルマトリックスにおけるそれぞれの非対角成分は、隣接するサブキャリアから、対角成分が対応するサブキャリアへのエネルギーを構成し得る。例えば、ハン窓は、係数２でメインローブの幅を増加させるので、得られたサブキャリアからのエネルギーは、得られたサブキャリアのすぐ左のサブキャリア及びすぐ右のサブキャリアに流れ出得る。したがって、ハン窓の適用の前に実質的に対角マトリックスであったであろうことは、三重対角マトリックスになり得る。
【００６０】
フーリエ変換の実行後の周波数領域において受信機で受信されるので、ＯＦＤＭ信号は、ガウスホワイトノイズが追加され得る送信機からの変調された複数のサブキャリアのこのチャネルマトリックスとベクトルとの積によって体現され得る。したがって、イコライザ／ディテクタブロック４３６の目的は、単純に、チャネルマトリックスからの複数の非対角成分からの変調された複数のサブキャリアへの影響を除去することになり得る。いくつかの例において、イコライザ／ディテクタブロック４３６におけるチャネルマトリックスの復元バージョンの逆を、フーリエ変換ブロック４３０からの多数の復元可能なサブキャリアのベクトルに単純に掛けることによってこれが達成され得る。
【００６１】
チャネルマトリックスの復元バージョンのための複数の非対角成分は、ＩＣＩ係数情報の１又は複数のユニットによって提供され得る。説明されるように、このＩＣＩ係数情報は、送信機により先験的なものとして知られ得、送信機により適用されて、得られたテーパー窓型にインデックス化され得る。したがって、送信機は、ＩＣＩ係数情報を受信機と通信し、同等化の間、受信機にＩＣＩ係数情報を適用することを可能にする。
【００６２】
３ＧＰＰ  ＬＴＥ規格に係る複数の実施形態では、ＩＣＩ係数情報は、層１（Ｌ１）、層２（Ｌ２）、及び層３（Ｌ３）信号伝達の１つによって、ｅＮｏｄｅＢからＵＥに伝送され得る。Ｌ３信号伝達は、無線リソース制御（ＲＲＣ）信号伝達を含み得る。特定の複数の例において、受信機は、特定のＩＣＩ係数情報を適用するよう予め構成され得る。いくつかのそのような例において、受信機によって適用されるであろうＩＣＩ係数情報は、その送信に適用するための対応するテーパー窓を、送信機が選択できるように送信機に伝送され得る。
【００６３】
いくつかの例において、チャネルマトリックスの復元バージョンの対角成分は、ユニタリ値を単純に有し得る。特定の複数の例において、これらの対角成分は、複数の参照信号の使用のような、複数のチャネル推定技術により取得される値で満たされ得る。同等化への代替的な複数のアプローチもまた使用され得る。例えば、時間領域での複数の同等化アプローチが適用され得る。
【００６４】
一旦、多数の復元可能なサブキャリアのベクトルが、イコライザ／ディテクタブロック４３６において、チャネルマトリックスの復元バージョンの逆により多重化されると、並列に変調される複数のサブキャリアは、パラレルトゥシングルコンバータ４３８において、単一出力４４０に組み合わされ得る。ＯＦＤＭシンボルの複数のバンド端サブキャリアに供給される付加情報は、複数のインバウンドサブキャリア４３２の情報が関連する共通通信リンクに関連し得る。にもかかわらず、複数のバンド端サブキャリア４３４において供給された付加情報は、異なる通信リンクに関連し得る。したがって、複数のバンド端サブキャリアは、パラレルトゥシングルコンバータによって、異なる出力４４０内にまとめられ得る。
【００６５】
デバイスツーデバイス（Ｄ２Ｄ）通信アプリケーション用及び/又はマシンツーマシン（Ｍ２Ｍ）通信アプリケーション用の１又は複数の通信リンクは、例示的で、複数のバンド端サブキャリアに構築され得る、そのような追加の複数の通信リンクの非限定的な複数の例を提供し得る。ＯＯＢリークは、そのような複数の通信リンク用の複数のバンド端サブキャリアを解放し、及び/又は、テーパー窓の適用の代わりのアプローチ又は組み合わせのアプローチにより共通の通信リンク内の情報を増加させるために制御され得る。例えば、ＯＯＢリークは、後述のように、サブキャリアの電力の明確な減少で制御され得る。
【００６６】
図５は、様々な例に一致する、周波数に関し、送信用にスケジュールされ得る、ＯＦＤＭシンボル５０２用に保有される複数のサブキャリアのスパンにおける最大電力を図示する。典型的な複数のサブキャリア５０４ａ−５０４ｅが図５に図示され、上述したように、数が変化し得るＯＦＤＭシンボル用に保有される複数のサブキャリアのスパンに存在する複数の追加のサブキャリアを示す。複数のサブキャリアのスパンは、異なる複数のサブスパンに関連する異なる最大送信電力により、周波数に関する多数の異なるサブスパンに細分化され得る。
【００６７】
例えば、ＯＦＤＭシンボルに関連する複数のサブキャリアのスパンは、複数のインバウンドサブキャリア５０６のスパンを含み得る。複数のインバウンドサブキャリア５０６のスパンは、ＯＯＢリークを避けるために複数のガードバンドを用いる従来のアプローチによりデータを送信し得る複数のサブキャリアに対応し得る。複数のインバウンドサブキャリア内の中心スパン５０８は、第１のスパンを画定し得る。
【００６８】
１又は複数の遷移スパン５１０ａ、５１０ｂは、複数のサブキャリアのインバウンドスパン内に配置され得るが、インバウンドスパンのローエンド又はハイエンドの周波数の一方において、インバウンド境界５１２ａ、５１２ｂが隣接し得る。したがって、遷移スパンは、中心スパン内のこれらのすぐ上方又はすぐ下方の周波数における周波数における中心スパンの側面に位置し得る。更に、いくつかの例において、図５に図示されたような、一方又は両方のインバウンド境界に隣接するが、遷移スパンの反対側では隣接せず、１又は複数のエッジスパン５１８ａ、５１８ｂが配置され得る。
【００６９】
エッジスパン５１８ａ、５１８ｂは、ＯＦＤＭシンボル用の複数のサブキャリアのスパンのエッジ付近の任意の領域内に配置され得、及び/又はＯＦＤＭシンボル用の複数のサブキャリアのスパンのエッジ付近の任意の領域を占有し得、エッジがスペクトルのハイエンド又はローエンドのいずれかにおけるＯＯＢ領域５１４付近にある。いくつかの例において、エッジスパンは、制御ＯＯＢリークへの従来のアプローチにおけるガードバンド５１６に関連するであろう領域、又はその一部を広げ得る。いくつかの例において、図５に図示される様に、この従来のガードバンド領域の一部は、実質的にゼロ送信電力で複数のサブキャリア用に保有され得る。各サブスパンにおける１又は典型的な複数のサブキャリア５０４ａ−５０４ｅによって理解され得るように、複数のサブキャリアの任意の数がこれらの複数のサブスパンのそれぞれにおいて発見され得る。
【００７０】
中心スパン５０８内の複数のサブキャリア５０４ａ、５０４ｂは、第１の電力範囲内の最大電力で送信され得る。１又は複数の遷移スパン５１０ａ、５１０ｂにおける１又は複数のサブキャリア５０４ｃは、第２の電力範囲内の最大電力で送信され得る。図５に図示されたような、第２の遷移電力範囲は、第１の遷移スパンよりも低い電力で定義され得る。第２の電力範囲は、第１の電力範囲よりも低いので、遷移スパンにおける複数のサブキャリアからのスペクトルリークも低くなるであろう。
【００７１】
１又は複数の遷移スパン５１８ａ、５１８ｂ内の複数のサブキャリア５０４ｃからのスペクトルリークが低くなり得るので、特にＯＯＢ周波数において、１又は複数のＯＦＤＭシンボル端付近の追加の複数のサブキャリアは、定義された第３の電力範囲内のデータを送信するために利用できるようになり得る。第１の２つの電力範囲の間の関係と同様に、第３の遷移電力範囲は、図５に図示されるように、第２の遷移スパンよりも低い電力用に定義され得る。したがって、これらの周波数がＯＯＢ周波数に関しかなり近くなり得、１又は複数の遷移スパン５１０ａ、５１０ｂから減少されたスペクトルリークに組み合わされ得るにもかかわらず、エッジスパンにおける複数のサブキャリアからのスペクトルリークは、かなり低くなり得、同様に、ＯＯＢ周波数のための許容レベルに減少し得る。
【００７２】
１又は複数の遷移スパン５１０ａ、５１０ｂ及び/又は１又は複数のエッジスパン５１８ａ、５１８ｂにおける複数のサブキャリアの数、及び/又は対応する第２及び第３の電力範囲は、ＯＯＢリークが許容閾値を超えないことを保証するように設定され得る。いくつかの例において、１又は複数の遷移スパン及び/又は１又は複数のエッジスパン５１８ａ、５１８ｂは、多数のサブスパンを含み得る。そのような複数の例において、第２の電力範囲及び/又は第３の電力範囲は、多数の異なるサブ電力レベルを含み得、そこでは複数の異なるサブ電力レベルが異なる複数のサブスパンに対応し得る。特定の複数の例において、全電力が、従来のＯＦＤＭＡシンボルに適用される電力の量から実質的に変化しないままのＯＦＤＭシンボルに関する全周波数に渡って統合することにより到達されるように、複数の電力レベルは、１又は複数の遷移スパン５１０ａ、５１０ｂ及び/又は１又は複数のエッジスパン５１８ａ、５１８ｂ内に割り当てられ得る。
【００７３】
述べた通り、エッジスパン５１８ａ、５１８ｃの複数のサブキャリアに供給される情報は、他の複数のサブキャリア、例えば、複数のインバウンドサブキャリア５０６の複数のサブキャリアによって伝送されるダウンリンク通信及び/又はアップリンク通信、に共有される通信リンクに関連し得、又は、Ｄ２Ｄ通信アプリケーション用及び/又はＭ２Ｍ通信アプリケーション用などの、異なる複数の通信リンクに関連し得る。１又は複数の電力レベルが、複数のエッジサブキャリア上の付加情報の送信用に低減される場合、送信距離は、対応する送信の信頼性を決定するのに重要なファクタになり得る。したがって、送信距離は、そのような電力レベル用に予め決定され得る。送信距離は、付加情報用の減少された送信電力を確実にし得、様々なチャンネル品質の候補用に既定の受信機の通信規格に適合し得る距離に設定され得る。既定の受信機が送信距離内となるように決定された場合、既定の受信機に特有である情報は、エッジスパンに含まれるために供給され得る。
【００７４】
図６は、様々な例に一致し、ｅＮｏｄｅＢ及びＵＥの１つに設置され得、ＯＦＤＭ内のバンド端において情報を送信するための、送信機６０２ａ―６０２ｃにおいて動作するデバイス６００を図示する。送信機は、送信ポイント又はモバイルデバイスになり得る。３ＧＰＰ  ＬＴＥ規格に一致する複数の実施形態において、送信機は、ＵＥ６０２ａ、ｅＮｏｄｅＢ６０２ｃ、マクロｅＮｏｄｅＢ（ＭＣＮ）ｅＮｏｄｅＢ、又は低電力ノード６０２ｂの何れかに設置され得る。デバイス６００は、ウィンドウイングモジュール６０４、データモジュール６０６、送信モジュール６０８、同等化モジュール６１０及び/又はアロケーションモジュール６１２を含み得る。
【００７５】
ウィンドウイングモジュール６０４は、ＯＦＤＭシンボルの少なくとも一部にテーパー窓を適用するように構成され得る。テーパー窓は、ＯＯＢスペクトルリークを減少すべく、選択され得る。このようなスペクトルリークは、ＯＦＤＭシンボルのバンド端での情報の配置を可能にすべく減少され得る。データモジュール６０６は、バンド端におけるＯＦＤＭシンボルに情報を供給するように構成され得る。送信モジュール６０８は、テーパー窓の適用の後にバンド端において付加情報を有するＯＦＤＭシンボルを送信するように構成され得る。
【００７６】
いくつかの例に関し、データモジュール６０６は、１又は複数の通信リンクに関する情報を供給し得る。そのような複数の通信リンクは、ｅＮｏｄｅＢとＵＥとの間及び/又は第１のＵＥと第２のＵＥとの間のリンクを含み得る。加えて、データモジュール６０６は、Ｄ２Ｄ通信アプリケーション及び/又はＭ２Ｍ通信アプリケーション用の通信リンクに関する情報を供給し得る。更に、いくつかの例において、ウィンドウイングモジュール６０４は、複数のサブキャリア間の直交性を保存するＯＦＤＭシンボル内のサブキャリア用のサブキャリア帯域幅を逆に実質的に等しいウィンドウイングインターバルに渡るテーパー窓を適用し得る。更に、ウィンドウイングモジュールは、離散逆フーリエ変換（ＩＤＦＴ）がＯＦＤＭシンボル内のデータに適用された後であるが、ＣＰがＯＦＤＭシンボルに追加される前に、ＯＦＤＭシンボルの少なくとも一部にテーパー窓を適用し得る。
【００７７】
いくつかの例において、デバイス６００は、同等化モジュールを更に含み得る。同等化モジュール６１０は、送信機に適用されるテーパー窓に対応するＩＣＩ係数情報を選択するように構成され得る。ＩＣＩ係数情報は、選択されたテーパー窓用の先験的なものとして知られ得る。更に、同等化モジュールは、受信デバイスに送信するための送信モジュール６０６に、ＩＣＩ係数を供給し得る。ＩＣＩ係数情報は、受信デバイスに、ＯＦＤＭシンボル内の隣接する複数のサブキャリアにおけるＩＣＩを除去することにより、ＯＦＤＭシンボルに関連する信号を同等化可能にするべく送信され得る。
【００７８】
特定の複数の実施形態は、更にアロケーションモジュール６１２を備え得る。アロケーションモジュールは、ＯＦＤＭシンボル内のデータを搬送する複数のサブキャリア間の距離を高めるように構成され得る。距離は、矩形窓の周波数応答に対応する第１のメインローブサイズに関連するテーパー窓の周波数応答に対応する第１のメインローブサイズの増加をオフセットするための量だけ、アロケーションモジュールにより増加され得る。距離は、データを搬送するために割り当てられ得る複数のサブキャリア間のデータを搬送しない複数のサブキャリアの数を含むことによって、アロケーションモジュールによって作成され得る。
【００７９】
図７は、ＯＦＤＭシンボルバンド端における帯域幅を利用するための方法７００のフローチャートを図示する。必ずしも必要ではないが、方法は、非一時的コンピュータ可用媒体を含むコンピュータプログラム製品に組み込まれ得る。コンピュータ可読媒体は、これらに実装されたコンピュータ可読プログラムコードを有し得る。コンピュータ可読プログラムコードは、方法のための命令を実行すべく実行されるように適合され得る。
【００８０】
方法７００は、送信機からの、第１の電力範囲で、ＯＦＤＭシンボルの複数のサブキャリアのインバウンドスパンにおけるデータを送信する段階７１０を含み得る。送信機は、ｅＮｏｄｅＢ及びＵＥのうちの１つに設置され得る。ＯＦＤＭシンボルは、少なくとも複数のサブキャリアのインバウンドスパン及び複数のサブキャリアのエッジスパンの少なくとも１つを含み得る。インバウンドスパンは、低い周波数境界及び高い周波数境界の周波数の範囲を占有し得る。少なくとも１つのエッジスパンは、低周波数境界に隣接するより低い周波数の範囲、及び高周波数境界に隣接するより高い周波数の範囲のうち少なくとも１つを占有し得る。方法７００は、インバウンドスパンの第１の電力範囲よりも低い第２の電力範囲における少なくとも１つのエッジスパンの一部のデータを送信する段階７２０を更に含み得る。いくつかの例において、少なくとも１つのエッジスパンの残りの部分は、実質的に、送信電力を受信し得ない。
【００８１】
複数のサブキャリアのインバウンドスパンにおけるデータを送信する段階７１０は、第２の電力範囲における既定の電力レベル用に、許容閾値より小さくすべくＯＯＢスペクトルリークを減少するための少なくとも１つのエッジスパンにおける複数のサブキャリアの数を決定する段階を更に含み得る。いくつかの例において、複数のサブキャリアのインバウンドスパンにおけるデータを送信する段階は、既定の複数のサブキャリアの数のために、許容閾値より小さくすべくＯＯＢスペクトルリークを減少するための少なくとも１つのエッジスパン用の第２の電力範囲における電力レベルを決定する段階を更に含み得る。特定の複数の例において、少なくとも１つのエッジスパンの一部のデータを送信する段階は、多数の異なるサブ電力レベルで多数のサブスパンにおけるデータを送信する段階を更に含み得る。そのような複数の例において、第２の電力範囲は、多数の異なるサブ電力レベルを含み得る。更に、少なくとも１つのエッジスパンは、多数のサブスパンを含み得る。
【００８２】
いくつかの例は、インバウンドスパンの第２の電力範囲よりも高く、第１の電力範囲内の高電力範囲よりも低い第１の電力範囲内の低いサブ電力範囲で複数のサブキャリアの少なくとも１つの遷移スパンにおいて、データを送信する段階７２０を更に含み得る。そのような複数の例において、インバウンドスパンは、高いサブ電力範囲で送信される複数のサブキャリアの中心スパン、及び、低いサブ電力範囲で送信される複数のサブキャリアの少なくとも１つの遷移スパンを含み得る。少なくとも１つの遷移スパンは、中心スパンにより占有される周波数よりも低く、低周波数境界よりも高い周波数の範囲を占有し得る。
【００８３】
更に、又は代替的に、少なくとも１つの遷移スパンは、中心スパンによって占有される周波数よりも高く、高周波数境界よりも低い周波数の範囲を占有し得る。
【００８４】
そのような複数の例は、受容閾値よりも低いＯＦＤＭシンボル用に指定されていないＯＯＢ領域へのインバウンドスパンからのスペクトルリークを低減すべく、第１の電力範囲内で、低いサブ電力範囲内で既定の電力レベル用の少なくとも１つの遷移スパンにおける複数のサブキャリアの数を決定する段階を更に含み得る。同様に、そのような複数の例は、受容閾値よりも低いＯＦＤＭシンボル用に指定されていないＯＯＢ領域へのインバウンドスパンからのスペクトルリークを低減すべく、少なくとも１つの遷移スパンにおける既定の複数のサブキャリアの数のために、第１の電力範囲内において、低いサブ電力範囲内の電力レベルを決定する段階を更に含み得る。更に、少なくとも１つの遷移スパンにおいてデータを送信する段階は、多数の異なるサブ電力レベルで、多数のサブ遷移スパンにおけるデータを送信する段階を更に含み得る。そのような複数の例において、第１の電力範囲の低いサブ電力範囲は、多数の異なるサブ電力レベルを含み得る。更に、少なくとも１つの遷移スパンは、多数のサブ遷移スパンを含み得る。
【００８５】
方法７００は、少なくとも１つの遷移スパン内及び少なくとも１つのエッジスパン内に複数の電力レベルを割り当てる段階を更に含み得る。これらの電力レベルは、従来のシナリオに関連して実質的に状態を保つＯＦＤＭシンボルに関する全周波数に渡り統合することにより、全電力が到達するように割り当てられ得る。送信電力がインバウンドスパンに渡り一定である場合、及び、少なくとも１つのエッジスパンに電力が割り当てられない場合に、従来のシナリオを得ることができる。追加条件は、リリース８、リリース９、及びリリース１０のうち少なくとも１つに設定されたように従来の３ＧＰＰ  ＬＴＥの実現に存在することにより、シナリオのための送信電力の値が決定される、従来のシナリオに課される。
【００８６】
更に、方法７００は、送信距離を決定する段階を更に含み得る。ＯＦＤＭシンボルの少なくとも１つのエッジスパン用の第２の電力範囲のための低減された送信電力が、送信距離よりも近距離用の既定の受信機の通信規格に適合し得ることを確実にするように、送信距離が設定され得る。そのような複数の例は、送信距離より近距離で設置される既定の受信機を決定する段階を更に含み得る。更に、そのような複数の例は、ＯＦＤＭシンボルの少なくとも１つのエッジスパンを含むための既定の受信機に特有の情報を供給する段階を更に含み得る。
【００８７】
図８は、ＯＦＤＭバンド端を用いるための方法８００のフローチャートを図示する。必ずしも必要ではないが、方法は、非一時的コンピュータ可用媒体を含むコンピュータプログラム製品に組み込まれ得る。コンピュータ可読媒体は、それらに実装されたコンピュータ可読プログラムコードを有し得る。コンピュータ可読プログラムコードは、方法のための命令を実行すべく実行されるように適合され得る。更に、方法は、ｅＮｏｄｅＢ及びＵＥの１つに設置される送信機において実施され得る。
【００８８】
方法８００は、ＯＦＤＭ信号のインバウンド領域からＯＦＤＭシンボル用に指定されていないＯＯＢ領域へのスペクトルリークを低減する段階８１０を含み得る。更に、方法は、送信用のＯＦＤＭのバンド端へ付加情報を供給する段階８２０を含み得る。ＯＦＤＭシンボルは、バンド端における付加情報と送信８３０されてもよい。
【００８９】
いくつかの例において、スペクトルリークを低減する段階は、ＯＦＤＭシンボルにテーパー窓を適用する段階を更に含み得る。更に、いくつかの例において、スペクトルリークを低減する段階は、ＯＦＤＭシンボルのインバウンド領域内の端部領域でＯＦＤＭシンボル内における一組の隣接するサブキャリアのための送信電力を低減する段階を更に含み得る。そのような複数の例において、端部領域は、バンド端により占有されるこれらに隣接する周波数を占有し得る。同様に、スペクトルリークを低減する段階は、ＯＦＤＭシンボルのインバウンド領域内の端部領域でのＯＦＤＭシンボル内における１セットの隣接する複数のサブキャリア用の送信電力を低減する段階を更に含み得る。端部領域は、バンド端により占有されるこれらに隣接する周波数を占有し得る。
【００９０】
特定の複数の例において、方法８００は、テーパー窓に対応するＩＣＩ係数情報を送信する段階を更に含み得る。テーパー窓は、ＩＣＩ係数情報を適用することにより、受信デバイスに、ＯＦＤＭシンボル内の隣接する複数のサブキャリアにおけるＩＣＩを除去することにより、ＯＦＤＭシンボルに関連する信号を同等化させることを可能にするために送信され得る。更に、いくつかの例は、バンド端に供給されるように付加情報をスクリーニングする段階を更に含み得る。スクリーニングする段階は、付加情報が送信されることが決定された距離に基づき得る。バンド端における情報の通信を確実にすべく設定された距離閾値よりも距離が小さい場合、付加情報がバンド端用に選択され得る。
【００９１】
図９は、ＵＥ、ＭＳ、モバイル無線モバイルデバイス、モバイル通信デバイス、タブレット、ハンドセット、又はモバイル無線モバイルデバイスの他のタイプのようなモバイルデバイスの例示的な図示をもたらす。モバイルデバイスは、ＢＳ、ｅＮｏｄｅＢ、又はＷＷＡＮ送信ポイントの他のタイプと通信するように構成された１又は複数のアンテナを含み得る。２つのアンテナが示される一方で、モバイルデバイスは、１から４本の間、又はそれよりも多くのアンテナを有してよい。モバイルデバイスは、３ＧＰＰ  ＬＴＥ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、高速パケットアクセス（ＨＳＰＡ）、Ｂｌｕｅｔｏｏｔｈ（登録商標）、ＷｉＦｉ、又は他の無線規格を含む少なくとも１つの無線通信規格を用いて通信するように構成され得る。モバイルデバイスは、各無線通信規格用の別個の複数のアンテナ、又は多重無線通信規格用の共有の複数のアンテナを利用して通信し得る。モバイルデバイスは、ワイヤレスローカルエリアネットワーク（ＷLＡＮ）、ワイヤレスパーソナルエリアネットワーク（ＷＰＡＮ）、及び/又はＷＷＡＮで通信し得る。
【００９２】
図９は、モバイルデバイスからのオーディオ入出力用に用いられ得る、マイク及び１又は複数のスピーカの図示を提供してもよい。ディスプレイスクリーンは、液晶ディスプレイ（ＬＣＤ）スクリーン、又は有機発光ダイオード（ＯＬＥＤ）ディスプレイ等の他のタイプのディスプレイスクリーンであってよい。ディスプレイスクリーンは、タッチスクリーンとして構成され得る。タッチスクリーンは、容量性、抵抗性、又は他のタイプのタッチスクリーン技術を使用してよい。アプリケーションプロセッサ及びグラフィックプロセッサは、処理機能及び表示機能をもたらすべく内部メモリに連結され得る。不揮発性メモリポートは、ユーザにデータ入力／出力オプションを提供すべく使用されてもよい。不揮発性メモリポートは、モバイルデバイスのメモリ機能を拡大すべく使用されてもよい。不揮発性メモリは、ソリッドステートドライブ（ＳＳＤ）、フラッシュランダムアクセスメモリ（ＲＡＭ）並びにその他を含み得る。キーボードは、追加のユーザ入力をもたらすべく、モバイルデバイスに一体化され得、又はモバイルデバイスに無線で接続され得る。仮想キーボードは、タッチスクリーンを用いて提供されてもよい。
【００９３】
これらの独立した実装をより詳細に強調すべく、本明細書に開示された複数の機能ユニットの多くがモジュールとして名前が付けられたと理解されるべきである。例えば、モジュールは、カスタムＶＬＳＩ回路又はゲートアレイ、論理チップ、又は他の個別のコンポーネントのような既製の半導体を含むハードウェア回路として実装されてよい。モジュールは、フィールドプログラマブルゲートアレイ、プログラマブルアレイ論理、プログラム式論理デバイス又は同様のもののようなプログラマブルハードウェアデバイスに実装されてもよい。
【００９４】
複数のモジュールは、様々な型のプロセッサによって実行されるソフトウェアにおいて実装されてもよい。実行可能なコードの特定されたモジュールは、例えば、オブジェクト、手順、又は機能として体系化され得る、例えば、コンピュータ命令の１又は複数の物理的又は論理的ブロックを含んでよい。にもかかわらず、特定されたモジュールの実行ファイルが物理的に一緒に設置される必要はないが、論理的に一緒になった場合に、モジュールを含み、モジュールの定められた目的を達成する異なる位置に格納された別々の命令を含んでよい。
【００９５】
実際、実行可能なコードのモジュールは、単一命令又は多くの命令であってよく、いくつかの異なるコードセグメントにわたり、異なる複数のプログラムの間で、及びいくつかのメモリデバイスにわたり均一に分散されてよい。同様に、処理データは、複数のモジュール内で、本明細書に例示され、特定されてよく任意の適切な形態で実装されてよく、データ構造体の任意の適切なタイプ内に体系化されてよい。処理データは、単一データセットとして収集されてよく、又は異なる記憶デバイスにわたって含む異なる位置にわたり分散されてよく、少なくとも部分的に、システム又はネットワーク上に電子信号として単に存在してもよい。複数のモジュールは、望まれた機能を実行すべく動作可能な複数の手段を有し、受動的又は能動的であってよい。
【００９６】
様々な技術、又は特定の複数の特徴又はその複数の部分は、フロッピー（登録商標）ディスケット、ＣＤ−ＲＯＭ、ハードドライブ、ソリッドステートドライブ（ＳＳＤ）、フラッシュＲＡＭ、又は任意の他のマシン可読記憶媒体などの有形の媒体において実装されたプログラムコード（即ち、命令）を形成してもよく、そこでは、プログラムコードが実装され、コンピュータのような、マシンによって実行される場合に、マシンが様々な技術を実行するための装置になる。プログラマブルコンピュータ上でプログラムコードを実行する場合、コンピューティング装置は、プロセッサ、（揮発性の及び非揮発性のメモリ及び/又は記憶要素を含む）プロセッサによって可読な記憶媒体、少なくとも１つの入力装置、及び少なくとも１つの出力装置を含んでよい。本明細書に開示された様々な技術を実行し又は利用し得る１又は複数のプログラムは、アプリケーションプログラミングインターフェース（ＡＰＩ）、リユーザブル制御、及び同種のものを使用し得る。そのような複数のプログラムは、コンピュータシステムと通信すべく、高水準の手続き型又はオブジェクト指向のプログラミング言語で実行されてよい。にもかかわらず、望まれれば、１又は複数のプログラムは、アセンブリ言語又はマシン言語に実装されてよい。いずれにせよ、言語は、コンパイルされてよく、言語に解釈されてよく、そしてハードウェア実装に組み合わされてよい。
【００９７】
本明細書を通じて参照した「一実施形態」又は「実施形態」は、実施形態に関連して説明された特有の機能、構造、又は特性が本願発明の少なくとも１つ実施形態に含まれることを意味する。これにより、本明細書を通じた様々な箇所における「一実施形態における」又は「実施形態では」の言い回しの表現は、必ずしも全てが同一の実施形態を示すものではない。
【００９８】
本明細書で用いられたように、複数のアイテム、構造要素、組成の複数の要素、及び/又は複数の材料は、便宜上の共通のリストに示されてもよい。にもかかわらず、リストの各要素が別個の一意的な要素として個別に特定されるかのように、これらのリストが解釈されるべきである。これにより、それとは反対の指摘がない場合、共通グループ内のこれらの提案にもっぱら基づいた同一のリストの任意の他の要素の事実上の同等化として、そのようなリストの個別の要素は解釈されるべきではない。加えて、本発明の様々な実施形態及び例は、これらの様々なコンポーネントの代替に応じて、本明細書に示されてよい。そのような複数の実施形態、複数の例及び代替は、相互の事実上の均等物として解釈されるべきではないが、本願発明の別個で自立した説明として考慮されていると理解される。
【００９９】
更に、説明された機能、構造、又は特性は、１又は複数の実施形態において、任意の適当な方法で組み合わされてよい。以下の記載において、本願発明の複数の実施形態の十分な理解をもたらすべく、複数の材料、留め具、サイズ、長さ、幅、形状などの複数の例として、多数の具体的な詳細が提供される。にもかかわらず、当業者は、明細書の詳細な説明のうち１又は複数と共にではなく、他の方法、構成要素、材料等と共に、本願発明が実行され得ることがわかるであろう。他の複数の例において、本願発明の特徴をあいまいにするのを避けるために、周知の構造、材料、又は操作は図示されず、又は詳細に説明されない。
【０１００】
とはいえ、上述の複数の例は、１又は複数の特定の適用例における本願発明の原理を例示し、当業者には、形式上の多数の修正、実装の使用及び詳細が、発明力の訓練なしに、及び本願発明の原理及びコンセプトから逸脱せずになされ得ることが明らかであろう。したがって、下記の請求項によって限定される場合を除き、本願発明を限定することを意図するものではない。
【図１Ａ】
0006012885.tif 000002
【図１Ｂ】
0006012885.tif 000003
【図２】
0006012885.tif 000004
【図３】
0006012885.tif 000005
【図４】
0006012885.tif 000006
【図５】
0006012885.tif 000007
【図６】
0006012885.tif 000008
【図７】
0006012885.tif 000009
【図８】
0006012885.tif 000010
【図９】
0006012885.tif 000011